(57)【要約】【課題】ランニングコストの低い空気清浄器を提供する。【解決手段】容器本体１１の外側から内側に吸引した空気の中に含まれる微粒子を捕捉して、清浄化された空気を排出する空気清浄器あって、容器本体には、水１８が収容され、この水の上には油１７が配されており、前記排出口１１ｂには、親油性の微粒子を捕捉する第１フィルタ部と、親水性の微粒子を捕捉する第２フィルタ部と、からなる微粒子捕捉フィルタ１５が設けられており、前記第１フィルタ部は、前記第２フィルタ部の排出方向上流側に配置されることを特徴とする空気清浄器。【選択図】図１
0003125905.tif 000002
【実用新案登録請求の範囲】
【請求項１】
容器本体の外側から内側に吸引した空気の中に含まれる微粒子を捕捉して、清浄化された空気を排出する空気清浄器あって、
前記容器本体には、水が収容され、この水の上には油が配されており、前記排出口には、親油性の微粒子を捕捉する第１フィルタ部と、親水性の微粒子を捕捉する第２フィルタ部と、からなる微粒子捕捉フィルタが設けられており、前記第１フィルタ部は、前記第２フィルタ部の排出方向上流側に配置されることを特徴とする空気清浄器。
【請求項２】
前記吸引した空気をガイドするガイド部材を有し、前記ガイド部材を前記油内又は前記水内に延出させたことを特徴とする請求項１に記載の空気清浄器。
【請求項３】
前記水又は油内に導かれた空気が浮上する浮上路に、上下方向に延びる複数の開口部を備えた格子状部材を配置したことを特徴とする請求項１又は２に記載の空気清浄器。
【請求項４】
容器本体の外側から内側に吸引した空気の中に含まれる微粒子を捕捉して、清浄化された空気を排出する空気清浄器あって、
前記容器本体には、油が収容されており、前記排出口には、親油性の微粒子を捕捉する微粒子捕捉フィルタが設けられていることを特徴とする空気清浄器。
【請求項５】
前記吸引した空気を、前記油内に導くガイド部材を有することを特徴とする請求項４に記載の空気清浄器。
【請求項６】
前記油内に導かれた空気が浮上する浮上路に、上下方向に延びる複数の開口部を備えた格子状部材を配置したことを特徴とする請求項４又は５に記載の空気清浄器。
【考案の詳細な説明】
【技術分野】
【０００１】
本考案は、空気中を浮遊する微粒子を捕捉して空気を浄化する空気清浄器に関する。
【背景技術】
【０００２】
昨今、大気中を浮遊するSARSウィルス、鳥インフルエンザウィルス、アスベストなどの微粒子を吸引することによる健康被害が問題となっている。
【０００３】
この問題を解決する一つの方法として、HEPAフィルタを有する空気清浄器が提案されている。この空気清浄器は、微粒子が含まれる空気を吸引する吸引部と、この吸引部によって引き込まれた空気の排出路に配置されるHEPAフィルタとを有し、ＨＥＰＡフィルタを用いて空気中の微粒子を捕捉することにより、清浄化された空気を排出する構成となっている。
【考案の開示】
【考案が解決しようとする課題】
【０００４】
しかしながら、吸引部によって引き込まれた空気の微粒子を全てHEPAフィルタで捕捉する構成となっているため、ＨＥＰＡフィルタの交換周期が短くなり、ランニングコストが増大する。
【０００５】
そこで、本願考案は、ランニングコストの低い空気清浄器を提供することを目的とする。
【課題を解決するための手段】
【０００６】
上記課題を解決するために、本願考案の第１の構成は、容器本体の外側から内側に吸引した空気の中に含まれる微粒子を捕捉して、清浄化された空気を排出する空気清浄器あって、前記容器本体には、水が収容され、この水の上には油が配されており、前記排出口には、親油性の第１フィルタ部と、吸水ポリマーからなる第２フィルタ部と、からなる微粒子捕捉フィルタが設けられており、前記第１フィルタ部は、前記第２フィルタ部の排出方向上流側に配置されることを特徴とする。
【０００７】
ここで、前記吸引した空気をガイドするガイド部材を有し、前記ガイド部材を前記油内又は前記水内に延出させるとよい。
【０００８】
また、前記水又は油内に導かれた空気が浮上する浮上路に、上下方向に延びる複数の開口部を備えた格子状部材を配置するとよい。
【０００９】
本願考案の第２の構成は、容器本体の外側から内側に吸引した空気の中に含まれる微粒子を捕捉して、清浄化された空気を排出する空気清浄器あって、前記容器本体には、油が収容されており、前記排出口には、親油性の微粒子を捕捉する微粒子捕捉フィルタが設けられていることを特徴とする。
【００１０】
ここで、前記吸引した空気を、前記油内に導くガイド部材を設けるとよい。
【００１１】
また、前記油内に導かれた空気が浮上する浮上路に、上下方向に延びる複数の開口部を備えた格子状部材を配置するとよい。
【考案の効果】
【００１２】
本願考案の第１の構成によれば、容器内に引き込まれた微粒子（例えば、SARSウィルス、鳥インフルエンザウィルス、アスベスト）に油分又は水分が付着し、その大部分を油又は水内に留め、残りの一部分を第１フィルタ部又は第２フィルタ部で捕捉できるため、微粒子を確実に捕捉することができる。
【００１３】
また、本願考案の第２の構成によれば、容器内に引き込まれた微粒子（例えば、SARSウィルス、鳥インフルエンザウィルス、アスベスト）に油分が付着し、その大部分を油に留め、残りの一部分をフィルタで捕捉できるため、親油性の微粒子を確実に捕捉することができる。
【考案を実施するための最良の形態】
【００１４】
以下、図面を参照しながら本考案の実施例について説明する。
（実施例１）
図１は、空気洗浄機の断面図である。空気清浄器１を構成する容器本体１１には、開口断面を円形とした吸入口１１a及び排出口１１ｂが設けられている。吸入口１１aの内側には、容器本体１１の外側から内側に向けて空気を吸引するための吸入ファン１２が設けられている。
【００１５】
容器本体１１には水が収容されており、この水の上には油が配されている。油層１７の層厚は好ましく１０〜１５ｍｍであり、油の種類としては植物油を例示できる。
【００１６】
吸入口１１aの容器内側の一端部には、容器の下側領域に向かって延びるガイド壁１３が設けられており、このガイド壁１３は、油層１７内に延出している。なお、ガイド壁１３を、水層１８内まで延出させてもよい。
【００１７】
排出口１１ｂの内側には、排出口１１ｂの出口側から順に、排出ファン１４及びフィルタ１５（微粒子捕捉フィルタ）が設けられている。
【００１８】
フィルタ１５は、水分が付着した微粒子を捕捉するための第２フィルタ部と、油分が付着した微粒子を捕捉するための第１フィルタ部とからなり、第１フィルタ部は、第２フィルタ部よりも排出方向始端側に配置される。ここで、捕捉される微粒子としては、SARSウィルス、鳥インフルエンザウィルス、アスベストなどの親油性の微粒子、塩、糖などのイオン化する物質及び界面活性剤などの親水性の微粒子を例示できる。空気中に存在する微粒子の多くは、親油性であるため、第１フィルタ部を第２フィルタ部の排出方向上流に配置することにより、効率よく空気中の微粒子を捕捉することができる。また、第１フィルタ部で捕捉されなかった親水性の微粒子を第２フィルタ部で確実に捕捉することができる。
【００１９】
第１フィルタ部の資材としては、塩化ビニリデン、ポリプロピレン、ポリエチレン、ポリエステル、アクリル、ナイロンなどの親油性の高い材料を例示でき、第２フィルタ部の資材としては、繊維状の吸収ポリマーを例示できる。
【００２０】
排出ファン１４及びフィルタ１５は排出口１１ｂに対して着脱可能に装着される。
【００２１】
次に、空気洗浄機１の洗浄動作について説明する。空気洗浄機１に洗浄動作の開始を指示する不図示の電源ボタンがオンされると、吸入ファン１２及び排出ファン１４が回転動作を開始する。
【００２２】
吸入ファン１２によって容器本体１１の内側に引き込まれた空気は、ガイド壁１３にガイドされながら油層１７内に導かれる。この油層１７内に導かれた空気中の微粒子のうち、その大部分は油成分が付着して油層１７に補足され、残りは油層１７を通過して油層１７下側の水層１８内に落下する。
【００２３】
油層１７及び水層１８内に落下した微粒子は、吸入ファン１２から送り込まれた風によって、ガイド壁１３の下を潜り抜け、排出口１１ｂ側に向かって移動する。
【００２４】
ガイド壁１３の下を潜り抜けた微粒子のうち、その大部分は油層１７又は水層１８内に留まるが、残りの一部は排出ファン１４の回転作用によって巻き上げられる。巻き上げられた微粒子のうち、親油性の微粒子には油分が付着し、親水性の微粒子には水分が付着している。
【００２５】
油分が付着した親油性の微粒子が第１フィルタ部に到達すると、親油性の微粒子は、油分の粘性力により、第１フィルタ部に捕捉される。
【００２６】
水分が付着した親水性の微粒子が、第２フィルタ部に到達すると、吸水ポリマーと水との化学吸着によりゼリー状の物体が生成され、親水性の微粒子はこのゼリー状の物体に捕捉される。
【００２７】
これにより、空気中の微粒子を確実に取り除くことができるため、空気を洗浄化することができる。
【００２８】
本実施例では、微粒子を含む空気を容器本体１１の内側に導くことにより、大部分の微粒子を油層１７又は水層１８に捕捉させ、油層１７及び水層１８に捕捉されなかった残りの微粒子をフィルタ１５で捕捉する構成となっている。したがって、フィルタ１５の製品寿命が長くなり、ランニングコストを削減できる。
【００２９】
また、微粒子に水又は油が付着することにより、粒径が大きくなり、各微粒子が凝集することも考えられる。これにより、ＨＥＰＡフィルタのような目の細かいフィルタを用いる必要がなくなり、フィルタの選択の自由度が高まり、結果的にコストを削減できる。
【００３０】
さらに、容器本体１１に収容された油及び水に空気を引き込むとともに、排出口１１ｂにフィルタ１５を配置することにより、空気中の微粒子を確実に捕捉できるため、極めて簡単な構成で洗浄効果の高い空気清浄器を提供することができる。
（実施例２）
本実施例の空気清浄器について、図２、図３を参照して説明する。ここで、図２は空気清浄器の断面図であり、実施例１と同一の構成要素については同一符号を付している。図３は、格子状部材及び吸入パイプの斜視図である。
【００３１】
これらの図において、容器本体１１の吸入口１１aには、吸入パイプ３４が連結されており、この吸入パイプ３４は容器本体１１の底に溜まっている油層１７及び水層１８の中に延出している。
【００３２】
吸入パイプ３４の先端部は上方に向かって折れ曲がっており、排出口３４aが上を向いた状態となっている。
【００３３】
吸入パイプ３４の排出口３４aの上方には、上下方向に延びる複数の開口部３５aを備えた格子状部材３５が配置されている。この格子状部材３５は、容器本体１１の底に溜まっている水の中に浸水しており、排出口３４aから排出された空気は格子状部材３５の各開口部３５aを通って細かく分断されるようになっている。なお、この格子状部材３５を、上端部が油層１７の上となるように配置してもよい。
【００３４】
上述の構成において、吸入ファン１２を回転させると、吸入口１１aを通って容器本体１１の内側に空気が引き込まれ、この引き込まれた空気は吸入パイプ３４を通って排出口３４aから排出される。
【００３５】
排出口３４aから排出された空気は、格子状部材３５の各開口部３５aを通過する際に細かく分断され、空気内に含まれる微粒子に水分又は油分が付着する。
【００３６】
この水分又は油分が付着した微粒子は、その大部分が容器本体１１内の水層１８又は油層１７の中に残るが、残りの一部は排出ファン１４によって吸引され、排出口１１ｂの入口側に設けられたフィルタ１５に到達する。
【００３７】
このように本実施例では、排出口３４aから排出された空気を、格子状部材３５の各開口部３５aを通過させることにより、細かく分断することができる。これにより、微粒子に油分又は水分を容易に付着させることができる。
【００３８】
また、実施例１で記載した効果も得られる。
【００３９】
上述の実施例１、２では、水の上に油を配した構成となっているが、油のみとすることもできる。
【図面の簡単な説明】
【００４０】
【図１】実施例１の空気清浄器の斜視図
【図２】実施例２の空気清浄器の斜視図
【図３】格子状部材及び吸入パイプの斜視図
【符号の説明】
【００４１】
１１  容器本体
１１a  吸入口
１１ｂ  排出口
１２  吸入ファン
１３  ガイド壁
１４  排出ファン
１５  フィルタ
１７  油層
１８  水層
３１  加湿フィルタ
３４  吸入パイプ
３５  格子状部材
【図１】
0003125905.tif 000003
【図２】
0003125905.tif 000004
【図３】
0003125905.tif 000005